(57)【特許請求の範囲】
【請求項１】
底部と、当該底部の外周に沿って設けられた側壁とを有し、重ねることが可能な医療用トレイであって、
前記側壁の上端に設けられたフランジ部と、前記フランジ部から上方へ突出する突起部と、前記底部の幅が内側に窪んで形成され、前記側壁の内側への変形を容易にするくびれ部とを有し、前記突起部は、上方に重ねられる他の医療用トレイのフランジ部の側方に配置可能な高さを備え、当該配置によって重なる側壁同士の間に隙間を形成させる、医療用トレイ。
【請求項２】
底部と、当該底部の外周に沿って設けられた側壁とを有し、重ねることが可能な医療用トレイであって、
前記側壁の上端に設けられたフランジ部と、前記フランジ部から上方へ突出する突起部と、前記側壁の上部側に、前記突起部と隣接して設けられ、当該側壁の内側への屈曲を容易にする屈曲誘導部とを有し、前記突起部は、上方に重ねられる他の医療用トレイのフランジ部の側方に配置可能な高さを備え、当該配置によって重なる側壁同士の間に隙間を形成させる、医療用トレイ。
【請求項３】
前記屈曲誘導部は、前記フランジ部の上端に形成された段差からなる段差部、前記フランジ部を内側方向に窪んで形成されたフランジ溝部、および前記側壁を内側方向に窪んで形成された側壁溝部の少なくとも１つにより構成される、請求項２に記載の医療用トレイ。
【請求項４】
前記突起部は、互いに対向する側壁の両方に形成されている、請求項１〜３のいずれか１項に記載の医療用トレイ。
【請求項５】
前記突起部は、他の医療用トレイを重ねた際に生じる重ねピッチ以上である、請求項１〜４のいずれか１項に記載の医療用トレイ。
【請求項６】
前記突起部は、裏面が凹状部で構成されている、請求項１〜５のいずれか１項に記載の医療用トレイ。
【発明の詳細な説明】
【技術分野】
【０００１】
本発明は、医療用品を収納するための医療用トレイに関する。
【背景技術】
【０００２】
医療現場では診断、検査及び治療を行う前、それらの処置に必要とされる医療器具や薬剤等が滅菌されたトレイにセットされ、処置に当ってトレイ内から取り出されて用いられる。近年では、医療現場で医療器具や薬剤等を準備する手間を省くため、必要な医療器具や薬剤等を予めトレイに収納し、トレイごと包装袋に入れて滅菌した使い捨てのパッケージ製品の開発が進んでいる。
【０００３】
トレイは、カテーテルやガイドワイヤを用いる処置においては医療器具や薬剤等を入れておくためだけでなく、カテーテルやガイドワイヤ等の表面を湿潤した状態にするためにも用いられる。処置に応じて必要なカテーテルやガイドワイヤ等がトレイ内にセットされ、そしてトレイ内に生理食塩水等が満たされることによってカテーテルやガイドワイヤの表面を湿潤した状態にする。
【０００４】
このような使用状態とするために、医療器具等を収納しているトレイのみでは不十分である場合、トレイを２重またはそれ以上に重ねてパッケージ製品とすることが考えられる。すなわち、医療現場でパッケージ製品を使用する際には、重なったトレイを分離して各々のトレイに医療器具等を分割配置することで、十分な領域を確保することができる。
【先行技術文献】
【特許文献】
【０００５】
【特許文献１】特開２００９−２９７０８４号公報
【発明の概要】
【発明が解決しようとする課題】
【０００６】
ところで、トレイにはカテーテル等の長尺で弾性力のある医療器具を巻き回して収納することもあることから、これらが弾性力で飛び出さないようにするため、ある程度の深さを与えたり、トレイの側壁の一部を内側へ張り出させたアンダーカット部を形成したりしている。このため、トレイが複数重ねられると、深い上にアンダーカット部により引っ掛かり、分離するのに手間が掛かる。
【０００７】
更に、パッケージ製品に使われるトレイは使い捨てであるため、通常、薄肉の樹脂により製造されている。このようなトレイを複数枚重ねると、トレイを分離しようとしても、トレイ同士の間に空気が入り難く、より一層分離するのが困難となる。
【０００８】
本発明はこのような課題に鑑みてなされたものであり、複数枚が重ねられても分離が容易であり、使用者への負担を低減可能な医療用トレイを提供することを目的とする。
【課題を解決するための手段】
【０００９】
上記目的を達成する本発明の医療用トレイは、底部と、当該底部の外周に沿って設けられた側壁とを有し、重ねることが可能な医療用トレイであって、前記側壁の上端に設けられたフランジ部と、前記フランジ部から上方へ突出する突起部と、前記底部の幅が内側に窪んで形成され、前記側壁の内側への変形を容易にするくびれ部とを有し、前記突起部は、上方に重ねられる他の医療用トレイのフランジ部の側方に配置可能な高さを備え、当該配置によって重なる側壁同士の間に隙間を形成させる、医療用トレイである。また、底部と、当該底部の外周に沿って設けられた側壁とを有し、重ねることが可能な医療用トレイであって、前記側壁の上端に設けられたフランジ部と、前記フランジ部から上方へ突出する突起部と、前記側壁の上部側に、前記突起部と隣接して設けられ、当該側壁の内側への屈曲を容易にする屈曲誘導部とを有し、前記突起部は、上方に重ねられる他の医療用トレイのフランジ部の側方に配置可能な高さを備え、当該配置によって重なる側壁同士の間に隙間を形成させる、医療用トレイである。
【発明の効果】
【００１０】
上記のように構成した本発明の医療用トレイは、フランジ部から上方に突出する突起部が、上方に重ねられる他の医療用トレイのフランジ部の側方に配置可能な高さを備え、当該配置によって重なる側壁同士の間に隙間を形成させるため、隙間から空気が流入すると共に側壁同士の間の表面抵抗が低下し、重ねられた医療用トレイを容易に分離することが可能となり、使用者への負担を低減できる。
【００１１】
また、前記底部の幅が内側に窪んで形成され、当該側壁の内側への変形を容易にするくびれ部をさらに有するようにすれば、上方の医療用トレイの一部をつかんで上方へ引き上げる際に、隙間から空気が流入しつつ側壁が内側へ変形する。これにより、重なる側壁同士の間の隙間が広がるため、空気がより流入しやすくなると共に側壁同士の間の表面抵抗が更に低下し、重ねられた医療用トレイをより容易に分離することが可能となる。
【００１２】
また、前記側壁の上部側に、前記突起部と隣接して設けられ、当該側壁の内側への屈曲を容易にする屈曲誘導部を有するようにすれば、突起部により形成される隙間の近傍に屈曲誘導部が設けられることになり、上方の医療用トレイの一部をつかんで上方へ引き上げる際に、隙間から空気が流入しつつ側壁が屈曲誘導部に沿って内側へ屈曲する。これにより、重なる側壁同士の間の隙間が広がるため、空気がより流入しやすくなると共に側壁同士の間の表面抵抗が更に低下し、重ねられた医療用トレイをより容易に分離することが可能となる。
【００１３】
また、前記屈曲誘導部が、前記フランジ部の上端に形成された段差からなる段差部、前記フランジ部を内側方向に窪んで形成されたフランジ溝部、および前記側壁を内側方向に窪んで形成された側壁溝部の少なくとも１つにより構成されるようにすれば、側壁の内側への屈曲が局所的に容易となる。
【００１４】
また、前記突起部が、互いに対向する側壁の両方に形成されているようにすれば、相対的に離れている２箇所の隙間から効率的に空気が流入し、重ねられた医療用トレイをより分離しやすくなる。特に、両方の突起部に隣接して屈曲誘導部が設けられれば、２つの屈曲誘導部の間で底部も屈曲し、これにより隙間がより広がりやすくなり、重ねられた医療用トレイの分離性をより高めることができる。
【００１５】
また、前記突起部が、医療用トレイを重ねた際に生じる重ねピッチ以上であれば、下方の医療用トレイの突起部が上方に重ねられる他の医療用トレイのフランジ部の高さ以上となり、下方の医療用トレイの突起部が上方の医療用トレイのフランジ部の側方に配置された状態を、良好に保持することができる。
【００１６】
また、前記突起部の裏面が凹状部で構成されていれば、処置が終了して医療用トレイを廃棄する際に、２つの医療用トレイを完全に嵌合させることができ、廃棄物の嵩を低減させることができる。
【図面の簡単な説明】
【００１７】
【図１】実施形態に係る医療用トレイを示す斜視図である。
【図２】実施形態に係る医療用トレイに医療器具等を配置した例を示す斜視図である。
【図３】実施形態に係る医療用トレイから医療器具等を取り出す際の例を示す斜視図である。
【図４】実施形態に係る医療用トレイを示す平面図である。
【図５】実施形態に係る医療用トレイを示す側面図である。
【図６】図５の６−６線に沿う部分断面図である。
【図７】実施形態に係る医療用トレイを重ねた際を示す側面図である。
【図８】実施形態に係る医療用トレイを重ねた際を示す斜視図である。
【図９】実施形態に係る医療用トレイを重ねた際を示す部分拡大斜視図である。
【図１０】重ねられた医療用トレイを分離する際を示す斜視図である。
【発明を実施するための形態】
【００１８】
以下、図面を参照して本発明の実施形態を説明する。なお、図面の寸法比率は、説明の都合上、誇張されて実際の比率とは異なる場合がある。
【００１９】
実施形態に係る医療用トレイ１０は、図１に示すように、底部１１の外周に沿って側壁１２が形成されており、カテーテル４０（図３参照）等の医療器具を生理食塩水等に浸漬して湿潤性を付与したり、または医療器具を配置するために用いられると共に、図２，３に示すように、医療器具や薬剤等を包装するための包装トレイとしても用いられる。
【００２０】
医療用トレイ１０には、必要な医療器具や薬剤等が予め収納され、包装袋（不図示）によって収納された状態で、使い捨てのパッケージ製品として提供される。医療器具は、例えば、カテーテル、シリンジ、ガイドワイヤ、シース、ダイレータ、はさみ類、ピンセット、脱脂綿類、及びドレープ等である。
【００２１】
医療用トレイ１０は、薄肉の樹脂製であり、例えば、ポリエチレン、ポリプロピレン、ポリスチレン、ポリ塩化ビニル等の熱可塑性樹脂シートから真空成形等によって形成される。底部１１、側壁１２、フランジ部１４、突起部１５は一体的に形成されることが好ましい。
【００２２】
診断、検査及び治療等の処置に際して包装が解かれると、図２に示すように、医療用トレイ１０の上にドレープ４１等が設置された状態となっている。この後、図３に示すように、医療用トレイ１０の上のドレープ４１等が取り出された後、更に医療用トレイ１０から他の医療器具等が取り出される。医療用トレイ１０は、二枚が重ねられており、これらを分離した後、再び医療器具が配置されたり、または空の医療用トレイ１０に湿潤が必要なカテーテル４０等の医療器具がセットされて、生理食塩水等が医療用トレイ１０に注がれて、カテーテル４０等の医療器具が湿潤状態にされる。
【００２３】
各々の医療用トレイ１０は、図１，４および５に示すように、底部１１と、底部１１の外周に沿って設けられ、医療器具を収納できる収納空間を底部１１とともに形成する側壁１２とを有している。底部１１は、略長方形（角が丸みをおびた長方形で、一方側が他方側がに比べて更に角が丸みをおびている）であり、その長辺側には、両端側に比べて、略中央付近（ラインＬ付近）の幅が狭く形成されたくびれ部（幅狭部）１７が設けられていることが好ましい。くびれ部１７が設けられていることにより、側壁１２の内側への変形を容易にすることができる。側壁（周壁）１２は、底部１１の全周に設けられており、底部１１から僅かに外側に傾いて立設されていることが好ましい。
【００２４】
側壁１２の上部には、側壁１２から側方（側壁１２に対して外側、すなわち、収納空間の反対側に向かう方向）へ張り出すフランジ部１４が形成されている。なお、本明細書における“上下”は、説明の便宜上使用するものであり、“上”は底部１１から側壁１２が延びる側、“下”は底部１１側を表しているが、これらの表現は、医療用トレイ１０の使用状態を限定するものではない。
【００２５】
医療用トレイ１０は、薄肉の樹脂製であり、強度が低いことから、フランジ部１４を設けることによって強度を高めている。底部１１及び側壁１２は、例えば、ポリエチレン、ポリプロピレン、ポリ塩化ビニル等の熱可塑性樹脂シートから真空成形等によって一体的に形成されるが、材料や成形方法はこれらに限定されない。フランジ部１４は、側壁の上部の全周に設けられていることが好ましい。
【００２６】
フランジ部１４には、上方へ突出する一対の突起部１５が形成されており、一対の突起部１５は、互いに対向する側壁１２のフランジ部１４の各々に形成されている。一対の突起部１５、すなわち２つの突起部１５は、各々の側壁１２の略中央部に配置されることが好ましい。突起部１５は、図６に示すように、裏面が凹状部１６で形成されている。突起部１５は、略長方形の底部１１の長辺側に位置するフランジ部１４（側壁１２）に設けられていることが好ましい。
【００２７】
突起部１５の高さＨは、図７に示すように、医療用トレイ１０を重ねた際の高さの差である重ねピッチＰ以上であることが好ましい。なお、重ねピッチＰは、医療用トレイ１０の側壁１２の傾斜角や、フランジ部１４の厚さ等の条件によって決定されるが、本実施形態では、フランジ部１４の厚さが、重ねピッチＰと等しくなっている。  フランジ部１４の上端には、図４，５に示すように、突起部１５と隣接して、局所的に一段低い段差の形態に形成された段差部２１が設けられており、段差部２１には、側方（外側）から内側（収納空間側）に窪ませて形成された段差溝２２（フランジ溝部）が設けられている。また、側壁１２にも、内側に窪ませて形成された側壁溝２３（側壁溝部）が、段差部２１から底部１１へ向かって延びて設けられている。これらの段差部２１、段差溝２２および側壁溝２３は、側壁１２を局所的に内側へ屈曲させやすくする屈曲誘導部２０を構成している。
【００２８】
側壁１２の下方には、収納空間から外側へ張り出させてアンダーカット部１３が形成されている。アンダーカット部１３は、カテーテル４０等の長尺で弾性力のある医療器具を医療用トレイ１０に巻き回して収納した際に、これらが弾性力で飛び出さないようにする機能を有している。
【００２９】
底部１１には、収納される医療器具の配置を規制したり、または強度を付与するために上方へ突出して稜状に延び、底部１１に立体的に形成されたラインである第１稜状部３１と、第２稜状部３２と、を有している。第１稜状部３１は、側壁１２の２つの側壁溝２３の下端を結ぶラインＬ上に形成されている。第２稜状部３２は、ラインＬ上には形成されず、ラインＬを挟んで両側に分割して、ラインＬと交差するように延びて形成されている。
【００３０】
第１稜状部３１および第２稜状部３２は、側壁１２が段差部２１、段差溝２２および側壁溝２３に沿って内側へ屈曲する際に、底部１１がラインＬに沿って屈曲するように曲げを誘導する底部屈曲誘導部３０を構成している。
【００３１】
次に、実施形態に係る医療用トレイ１０の作用について説明する。
【００３２】
医療現場へは、必要な医療器具や薬剤等が収納されたパッケージ製品が提供され、診断、検査または治療等の処置に際してパッケージ製品の包装が開封されると、図２に示すように、２枚が重ねられた医療用トレイ１０の上にドレープ４１等が設置された状態となっている。このとき、医療用トレイ１０の上に設置されたドレープ４１等は、医療用トレイ１０の突起部１５により位置が規制されており、医療用トレイ１０の内部へ落ち込まず、適切な位置で保持されている。
【００３３】
この後、図３に示すように、医療用トレイ１０の上のドレープ４１等が取り出され、更に医療用トレイ１０から他の医療器具等が取り出される。空になった２枚の医療用トレイ１０は、図７〜９に示すように、下方の医療用トレイ１０の突起部１５が、上方に重ねられる他の医療用トレイ１０のフランジ部１４の側方（外側）に配置されており、２つの医療用トレイ１０が完全に重なっていない。なお、完全に重なる状態とは、下方の突起部１５が、上方の突起部１５の裏面に形成される凹状部１６（図６参照）に嵌合した状態を表す。これにより、上方の医療用トレイ１０の側壁１２は内側へ、下方の医療用トレイ１０の側壁１２は側方（外側）へ変形し、上方の医療用トレイ１０の側壁１２と下方の医療用トレイ１０の側壁１２の間に隙間Ｓ（図９参照）が形成される。
【００３４】
このとき、突起部１５の高さＨが重ねピッチＰ以上であるため（図７参照）、下方の医療用トレイ１０の突起部１５が上方に重ねられる他の医療用トレイ１０のフランジ部１４の高さ以上となり、下方の医療用トレイ１０の突起部１５が上方の医療用トレイ１０のフランジ部１４の側方に配置された状態を、良好に保持することができる。特に、フランジ部１４の厚さが薄い場合には、突起部１５が長い方が好ましい。なお、下方の医療用トレイ１０の突起部１５を上方の医療用トレイ１０のフランジ部１４の側方に配置された状態を保持できるのであれば、必ずしも高さＨが重ねピッチＰ以上でなくてもよい。
【００３５】
この後、図１０に示すように、上方の医療用トレイ１０のフランジ部１４の一部をつかんで上方へ引き上げて、下方の医療用トレイ１０から分離する。この際、突起部１５によって上方の医療用トレイ１０の側壁１２と下方の医療用トレイ１０の側壁１２の間に隙間Ｓが形成されているため、隙間Ｓから上方の医療用トレイ１０と下方の医療用トレイ１０との間に空気が流入しやすく、かつ重なる側壁１２同士の間の表面抵抗が完全嵌合の場合よりも低いことから、重ねられた医療用トレイ１０を容易に分離する（取り外す）ことができる。なお、つかんで引き上げる部位は、図１０の矢印の位置に限定されず、他の部位をつかんで引き上げてもよい。
【００３６】
また、本実施形態では、突起部１５が２つ設けられているため、空気がより流入しやすくなると共に側壁１２同士の間の表面抵抗もより低下し、重ねられた医療用トレイ１０をより簡単に分離することが可能となる。特に、突起部１５が互いに対向する側壁１２のフランジ部の両方に各々形成されているため、相対的に離れている２箇所の隙間Ｓから効率的に空気が流入し、重ねられた医療用トレイ１０がより分離しやすくなる。また、２つの突起部１５は、各々の側壁１２の略中央部に配置されているため、２つの医療用トレイ１０が重ねられた状態において側壁１２に発生する変形および応力を分散させて、極力減少させることができる。
【００３７】
また、底部１１の幅が内側に窪んで形成され、側壁１２の内側への変形を容易にするくびれ部１７を有しているため、上方の医療用トレイ１０の一部をつかんで上方へ引き上げる際に、隙間Ｓから空気が流入しつつ側壁１２が内側へ変形する。これにより、重なる側壁１２同士の間の隙間Ｓが広がるため、空気がより流入しやすくなると共に側壁１２同士の間の表面抵抗が更に低下し、重ねられた医療用トレイ１０をより容易に分離することが可能となる。
【００３８】
また、側壁１２には、突起部１５と隣接して、側壁１２を局所的に内側へ屈曲させやすくする屈曲誘導部２０（段差部２１、段差溝２２および側壁溝２３）が設けられているため、上方の医療用トレイ１０のフランジ部１４の一部をつかんで上方へ引き上げようとすると、屈曲誘導部２０に沿って側壁１２が内側へ屈曲する。特に、屈曲誘導部２０が突起部１５に隣接して設けられることによって、突起部１５によって形成される隙間Ｓから空気が入りやすいため、側壁１２が内側へ屈曲しやすくなっている。このような屈曲によって、重なる側壁１２同士の間の隙間Ｓが広がるため、空気がより流入しやすくなると共に側壁１２同士の間の表面抵抗が更に低下し、重ねられた医療用トレイ１０をより簡単に分離することが可能となる。
【００３９】
また、対向する側壁１２の両方に屈曲誘導部２０が各々設けられているため、２つの屈曲誘導部２０の間で、ラインＬに沿って底部１１も屈曲する。これにより隙間Ｓがより広がりやすくなり、重ねられた医療用トレイ１０の分離性をより高めることができる。
【００４０】
また、底部１１に形成される底部屈曲誘導部３０も、底部１１のラインＬに沿う屈曲を誘導することで、側壁１２の屈曲を誘導しているため、重ねられた医療用トレイ１０の分離をより容易にするための機能を果たしている。
【００４１】
したがって、本実施形態に係る医療用トレイ１０によれば、深くかつアンダーカット部１３を有することで通常は分離に手間が掛かる医療用トレイ１０が重ねられても、前述の突起部１５および屈曲誘導部２０を備えることで容易な分離が可能となって作業効率が向上し、医療現場における使用者の負担を低減できる。
【００４２】
医療用トレイ１０の分離が完了すると、２つの医療用トレイ１０を用いて再び医療器具を設置したり、湿潤が必要な医療器具を生理食塩水等によって湿潤性を付与する等の処置が行われる。
【００４３】
更に、診断、検査または治療等の処置が終了した後には、医療用トレイ１０を廃棄するが、突起部１５の裏面に凹状部１６が形成されているため、２つの医療用トレイ１０を完全に嵌合させることができ、廃棄物の嵩を低減させることができる。
【００４４】
なお、本発明は、上述した実施形態に限定されるものではなく、特許請求の範囲の範囲内で種々改変できる。
【００４５】
例えば、突起部１５は、必ずしも２つでなくてもよく、１つや３つ以上であってもよい。また、医療用トレイ１０は、３枚以上を重ねて使用することもできる。また、側壁１２を局所的に内側へ屈曲させやすくする屈曲誘導部２０は、本実施形態のように溝の形態でなくてもよく、例えば、側壁１２の上端の縁から切り込まれた切り込み部や、側壁１２の上端近傍に形成される孔部（例えばスリット）等で形成することもできる。
【００４６】
また、屈曲誘導部２０を構成する段差部２１、段差溝２２および側壁溝２３は、必ずしも全て形成されなくてもよく、少なくとも１つが形成されれば、側壁１２を局所的に内側へ屈曲させやすくする機能を発揮できる。
【００４７】
また、本実施形態に係る医療用トレイ１０は樹脂製であるが、下方の医療用トレイ１０の突起部１５が、上方に重ねられる他の医療用トレイ１０のフランジ部１４の側方に配置可能な程度に柔軟な素材であれば、樹脂以外の材料により製造されてもよい。
【００４８】
また、フランジ部１４は、かならずしも全周にわたって形成されなくてもよい。
【符号の説明】
【００４９】
１０    医療用トレイ、
１１    底部、
１２    側壁、
１４    フランジ部、
１５    突起部、
１６    凹状部、
１７    くびれ部、
２０    屈曲誘導部、
２１    段差部、
２２    段差溝（フランジ溝部）、
２３    側壁溝（側壁溝部）、
３０    底部屈曲誘導部、
３１    第１稜状部、
３２    第２稜状部、
Ｈ    突起部の高さ、
Ｐ    重ねピッチ。
【図１】
0005451459.tif 000002
【図２】
0005451459.tif 000003
【図３】
0005451459.tif 000004
【図４】
0005451459.tif 000005
【図５】
0005451459.tif 000006
【図６】
0005451459.tif 000007
【図７】
0005451459.tif 000008
【図８】
0005451459.tif 000009
【図９】
0005451459.tif 000010
【図１０】
0005451459.tif 000011